(57)【要約】【課題】撮影オーダ情報の取り扱いの容易性及び正確性を確保し、かつ同一カセッテに対する二重撮影を防止して医用画像の安全性を確保する。【解決手段】制御装置４０は、ＰＤＡ１０から撮影済みの撮影オーダ情報及びその撮影オーダ情報に対して登録されたカセッテのＩＤを受信し、医用画像読取装置５０から撮影済みのカセッテから読み取った医用画像及びそのカセッテのＩＤを取得すると、受信した各情報を対応テーブル４６２に設定し、撮影オーダ情報に対して登録されたカセッテから医用画像が読み取られているか否か、つまり今回撮影に用いたカセッテは次回の撮影に使用可能であるか否かを判別し、その判別結果をＰＤＡ１０に送信する。ＰＤＡ１０は、制御装置４０から受信した判別結果に基づいて、次の撮影に使用不可と設定されたカセッテの登録を禁止する。【選択図】          図１
2004147923.tif 000002
【特許請求の範囲】
【請求項１】
撮影オーダ情報に基づいて撮影された医用画像を記録するカセッテからそのカセッテの識別情報と医用画像とを読み取る医用画像読取装置と、前記医用画像読取装置を制御してカセッテの識別情報及び医用画像を取得する制御装置と、携帯型撮影情報装置と、がネットワークを介して接続された医用画像撮影システムであって、
前記携帯型撮影情報装置は、
撮影オーダ情報を受信する撮影オーダ受信手段と、
前記撮影オーダ受信手段により受信された撮影オーダ情報を記憶する記憶手段と、
撮影に用いるカセッテの識別情報を入力する入力手段と、
前記入力手段により入力されたカセッテの識別情報を、前記記憶手段に記憶された撮影オーダ情報のうち、そのカセッテを用いる撮影オーダ情報に対応付ける対応付け手段と、
撮影後に、前記対応付け手段により対応付けられた撮影オーダ情報とカセッテの識別情報とを前記制御装置に送信する撮影オーダ送信手段と、を備え、
前記制御装置は、
前記撮影オーダ受信手段により受信された撮影オーダ情報及びカセッテの識別情報と、前記医用画像読取装置から取得した医用画像及びカセッテの識別情報とに基づいて、今回の撮影に用いたカセッテは次回の撮影に使用可能か否かを判別する判別手段と、
前記判別手段による判別結果を前記携帯型撮影情報装置に送信する判別結果送信手段と、を備え、
前記携帯型撮影情報装置において、
前記対応付け手段は、前記制御装置から送信された判別結果により、次回の撮影に使用不可であると判別されたカセッテの識別情報を、撮影オーダ情報に対応付けることを禁止することを特徴とする医用画像撮影システム。
【請求項２】
前記携帯型撮影情報装置において、
前記入力手段により入力されたカセッテの識別情報が、前記制御装置から送信された判別結果により、次回の撮影に使用不可と判別されたカセッテの識別情報と一致する場合、そのカセッテは使用不可であることを警告する警告手段を備えることを特徴とする請求項１に記載の医用画像撮影システム。
【請求項３】
撮影オーダ情報に基づいて撮影された医用画像を記録するカセッテから当該医用画像を読み取る医用画像読取装置と、前記医用画像読取装置を制御して医用画像を取得する制御装置と、携帯型撮影情報装置と、がネットワークを介して接続された医用画像撮影システムにおける医用画像撮影管理方法であって、
前記携帯型撮影情報装置において、
撮影オーダ情報を受信する撮影オーダ受信工程と、
前記撮影オーダ受信工程で受信された撮影オーダ情報を記憶手段に記憶する記憶工程と、
撮影に用いるカセッテの識別情報を入力する入力工程と、
前記入力工程で入力されたカセッテの識別情報を、前記記憶手段に記憶された撮影オーダ情報のうち、そのカセッテを用いる撮影オーダ情報に対応付ける対応付け工程と、
撮影後に、前記対応付け工程で対応付けられた撮影オーダ情報とカセッテの識別情報とを前記制御装置に送信する撮影オーダ送信工程と、
前記医用画像読取装置において、
撮影済みのカセッテから読み取った医用画像と、そのカセッテの識別情報とを対応付けて前記制御装置に送信する医用画像送信工程と、
前記制御装置において、
前記携帯型撮影情報装置から送信された撮影オーダ情報及びカセッテの識別情報と、前記医用画像読取装置から送信された医用画像及びカセッテの識別情報とに基づいて、今回の撮影に用いたカセッテは次回の撮影に使用可能か否かを判別する判別工程と、
前記判別工程による判別結果を前記携帯型撮影情報装置に送信する判別結果送信工程と、を含み、
前記対応付け工程では、前記制御装置から送信された判別結果により、次回の撮影に使用不可であると判別されたカセッテの識別情報を、撮影オーダ情報に対応付けることを禁止することを特徴とする医用画像撮影システムにおける医用画像撮影管理方法。
【発明の詳細な説明】
【０００１】
【発明の属する技術分野】
本発明は、医用画像撮影システム及び医用画像撮影システムにおける医用画像撮影管理方法に関する。
【０００２】
【従来の技術】
医療の分野においては、例えばコンピュータ断層画像撮影装置（以下、ＣＴ：Ｃｏｍｐｕｔｅｄ  Ｔｏｍｏｇｒａｐｈｙという）やコンピュータ放射線画像撮影装置（以下、ＣＲ：Ｃｏｍｐｕｔｅｄ  Ｒａｄｉｏｇｒａｐｈｙという）、核磁気共鳴イメージング装置（以下、ＭＲＩ：Ｍａｇｎｅｔｉｃ  Ｒｅｓｏｎａｎｃｅ  Ｉｍａｇｉｎｇという）等の医用画像撮影システムが利用されている。この医用画像撮影システムは、被検体である患者を撮影し、その撮影した医用画像をデジタル画像データとして取得するシステムである。
【０００３】
ＣＲ装置は、支持体上に輝尽性蛍光体層を形成した蛍光体プレートを使用するものであり、撮影時にはその蛍光体層に被検体を透過した放射線を吸収させ、被検体各部の放射線透過度に対応する放射線エネルギーを蓄積させて潜像を形成する。その後、蛍光体層をレーザ光等の励起光で走査することによって放射線エネルギーを蛍光として放射させ、その蛍光を光電変換することにより画像信号を読み取るものである。
【０００４】
斯かる医用画像撮影システムには、大きく分けて二つのシステム構成がとられる。
その一つは、蛍光体プレートを内蔵して撮影と画像の読み取りを行う撮影読取装置が撮影室に設置された、固定タイプの医用画像撮影システムである。このシステムでは、撮影に続いてその撮影画像をデジタル画像データで読み取ることが可能である。
他の一つは、手術後又は重傷である等の理由で撮影装置が設置されている場所まで移動できない患者のために、移動可能な回診用の撮影装置（以下、ポータブル撮影装置という。）と、蛍光体プレートを収納したカセッテとを用いて、回診先において撮影を行う移動タイプの医用画像撮影システムである。このシステムでは、撮影後にカセッテ専用の読取装置によりカセッテから撮影画像を読み取ってデジタル画像データを得る。
【０００５】
この移動タイプの医用画像撮影システムにおいては、検査技師による撮影は、一般的に次のような手順で行われる。
（１）病院内の情報を管理するシステム（以下、ＨＩＳ：Ｈｏｓｐｉｔａｌ  ｉｎｆｏｒｍａｔｉｏｎ  Ｓｙｓｔｅｍという）や放射線科内の情報を管理するシステム（以下、ＲＩＳ：Ｒａｄｉｏｌｏｇｙ  Ｉｎｆｏｒｍａｔｉｏｎ  Ｓｙｓｔｅｍという）等において、医師からの依頼により作成された撮影オーダ情報をオーダ用紙に印刷する。この撮影オーダ情報には、撮影する患者の氏名や性別等の患者情報や撮影部位や撮影方法等の撮影情報が含まれ、どの患者に対してどのように撮影するかが示されている。
（２）ポータブル撮影装置及びカセッテを患者がいる病室に搬送する。
（３）オーダ用紙に印刷された撮影オーダ情報により撮影する患者や撮影部位等を確認後、撮影装置及びカセッテを用いて撮影を実行する。
（４）撮影済みのカセッテをカセッテ専用の読取装置に装着して、撮影された医用画像の読み取りを行い、医用画像がどの撮影オーダ情報に対応するのかを確認する。
【０００６】
近年では、カセッテに識別情報を付し、この識別情報をバーコード化してカセッテ表面に設けておき、画像読取時に、このバーコードをバーコードリーダにより読み取ることによりどのカセッテにどの医用画像が記録されていたのかを特定している。このとき、カセッテの識別情報であるバーコードを誤って２度読み取らないように、一定時間の間は１度読み込んだバーコードの２度読みを防止する技術が考案されている（例えば、特許文献１参照）。
【０００７】
【特許文献１】
特開平１１−５３４６５号公報（第５−９頁、第１図）
【０００８】
【発明が解決しようとする課題】
しかしながら、上記のような撮影方法では、撮影オーダ情報をオーダ用紙、すなわち紙媒体に印刷して利用しているため、一患者に対して複数のオーダが重なると撮影オーダ情報の取り扱いが煩雑となり、どのカセッテを用いてどの撮影オーダ情報の撮影を行ったのかが分からなくなる場合がある。撮影オーダ情報には、撮影された医用画像の画像処理条件も含まれており、撮影後にカセッテから読み取られた医用画像は、撮影オーダ情報に基づいて撮影部位に適した画像処理が施される。そのため、異なる撮影オーダ情報と医用画像とが対応付けられた場合、適切な画像処理が施されず、診断精度の低下を招くおそれがある。従って、撮影オーダ情報の取り扱いには正確性及び安全性が要求される。
【０００９】
また、カセッテは、撮影画像の読み取り後に画像の消去処理を施すことで何度でも使用が可能であり、その外見からは画像を記録しているのか否かが判別できないため、撮影された医用画像の読み取りを終了していないカセッテを誤って次の撮影に使用するおそれがあった。
【００１０】
本発明の課題は、撮影オーダ情報の取り扱いの容易性及び正確性を確保し、かつ同一カセッテに対する二重撮影を防止して医用画像の安全性を確保することである。
【００１１】
【課題を解決するための手段】
請求項１に記載の発明は、
撮影オーダ情報に基づいて撮影された医用画像を記録するカセッテからそのカセッテの識別情報と医用画像とを読み取る医用画像読取装置と、前記医用画像読取装置を制御してカセッテの識別情報及び医用画像を取得する制御装置と、携帯型撮影情報装置と、がネットワークを介して接続された医用画像撮影システムであって、
前記携帯型撮影情報装置は、
撮影オーダ情報を受信する撮影オーダ受信手段と、
前記撮影オーダ受信手段により受信された撮影オーダ情報を記憶する記憶手段と、
撮影に用いるカセッテの識別情報を入力する入力手段と、
前記入力手段により入力されたカセッテの識別情報を、前記記憶手段に記憶された撮影オーダ情報のうち、そのカセッテを用いる撮影オーダ情報に対応付ける対応付け手段と、
撮影後に、前記対応付け手段により対応付けられた撮影オーダ情報とカセッテの識別情報とを前記制御装置に送信する撮影オーダ送信手段と、を備え、
前記制御装置は、
前記撮影オーダ受信手段により受信された撮影オーダ情報及びカセッテの識別情報と、前記医用画像読取装置から取得した医用画像及びカセッテの識別情報とに基づいて、今回の撮影に用いたカセッテは次回の撮影に使用可能か否かを判別する判別手段と、
前記判別手段による判別結果を前記携帯型撮影情報装置に送信する判別結果送信手段と、を備え、
前記携帯型撮影情報装置において、
前記対応付け手段は、前記制御装置から送信された判別結果により、次回の撮影に使用不可であると判別されたカセッテの識別情報を、撮影オーダ情報に対応付けることを禁止することを特徴としている。
【００１２】
請求項３に記載の発明は、
撮影オーダ情報に基づいて撮影された医用画像を記録するカセッテから当該医用画像を読み取る医用画像読取装置と、前記医用画像読取装置を制御して医用画像を取得する制御装置と、携帯型撮影情報装置と、がネットワークを介して接続された医用画像撮影システムにおける医用画像撮影管理方法であって、
前記携帯型撮影情報装置において、
撮影オーダ情報を受信する撮影オーダ受信工程と、
前記撮影オーダ受信工程で受信された撮影オーダ情報を記憶手段に記憶する記憶工程と、
撮影に用いるカセッテの識別情報を入力する入力工程と、
前記入力工程で入力されたカセッテの識別情報を、前記記憶手段に記憶された撮影オーダ情報のうち、そのカセッテを用いる撮影オーダ情報に対応付ける対応付け工程と、
撮影後に、前記対応付け工程で対応付けられた撮影オーダ情報とカセッテの識別情報とを前記制御装置に送信する撮影オーダ送信工程と、
前記医用画像読取装置において、
撮影済みのカセッテから読み取った医用画像と、そのカセッテの識別情報とを対応付けて前記制御装置に送信する医用画像送信工程と、
前記制御装置において、
前記携帯型撮影情報装置から送信された撮影オーダ情報及びカセッテの識別情報と、前記医用画像読取装置から送信された医用画像及びカセッテの識別情報とに基づいて、今回の撮影に用いたカセッテは次回の撮影に使用可能か否かを判別する判別工程と、
前記判別工程による判別結果を前記携帯型撮影情報装置に送信する判別結果送信工程と、を含み、
前記対応付け工程では、前記制御装置から送信された判別結果により、次回の撮影に使用不可であると判別されたカセッテの識別情報を、撮影オーダ情報に対応付けることを禁止することを特徴としている。
【００１３】
この請求項１、３に記載の発明によれば、携帯型撮影情報装置が、撮影オーダ情報を受信して記憶し、撮影に用いるカセッテの識別情報とそのカセッテを用いる撮影オーダ情報とを対応付けるので、撮影オーダ情報の取り扱いの容易性及び正確性を確保することができる。また制御装置が、携帯型撮影情報装置から送信された撮影オーダ情報及びカセッテの識別情報と、医用画像読取装置から取得された医用画像及びカセッテの識別情報と、に基づいて、撮影に用いたカセッテは次の撮影に使用可能か否かを判別し、携帯型撮影情報装置は、制御装置からその判別結果を受信して、次の撮影に使用不可と判別されたカセッテの識別情報を撮影オーダ情報に対応付けることを禁止するので、同一カセッテに対する二重撮影を防止して撮影した医用画像の安全性を確保することができる。
【００１４】
請求項２に記載の発明は、請求項１に記載の医用画像撮影システムにおいて、
前記携帯型撮影情報装置において、
前記入力手段により入力されたカセッテの識別情報が、前記制御装置から送信された判別結果により、次回の撮影に使用不可と判別されたカセッテの識別情報と一致する場合、そのカセッテは使用不可であることを警告する警告手段を備えることを特徴としている。
【００１５】
この請求項２に記載の発明によれば、携帯型撮影情報装置が、次回の撮影に使用不可と判別されたカセッテは使用不可であることを警告するので、二重撮影をより確実に防止することが可能となる。
【００１６】
【発明の実施の形態】
以下、図を参照して本発明の実施の形態を詳細に説明する。
まず構成を説明する。
図１は、本実施の形態における医用画像撮影システム１００の全体構成を示す概念図である。
図１において、医用画像撮影システム１００は、携帯型情報端末１０（以下、ＰＤＡ；Ｐｅｒｓｏｎａｌ  Ｄｉｇｉｔａｌ  Ａｓｓｉｓｔａｎｃｅと略称する。）、制御装置４０、医用画像読取装置５０、ポータブル撮影装置６０から構成され、ＰＤＡ１０と、情報管理装置３０と、制御装置４０とがネットワークＮを介して相互にデータの送受信が可能に接続されている。また、制御装置４０には医用画像読取装置５０が有線接続されているが、これに限らず、医用画像読取装置５０をネットワークＮに接続することとしてもよい。
【００１７】
ネットワークＮは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用可能である。なお、病院等の医療機関内で許可されるのであれば、無線通信や赤外線通信であってもよいが、撮影オーダ情報を送受信する際にはプライバシーに関わる患者情報を含むため、撮影オーダ情報は暗号化することとする。
【００１８】
情報管理装置３０は、医師から操作入力された撮影のオーダ情報を受け付けて管理し、ネットワークＮを介して接続されたＰＤＡ１０及び医用画像読取装置５０に撮影オーダ情報を送信する。なお、情報管理装置としては、撮影オーダの予約受付を行い、その撮影オーダ情報を管理する受付装置や、ＨＩＳやＲＩＳ等の情報管理システムであってもよい。
【００１９】
ＰＤＡ１０は、撮影技師等の撮影者が携帯する携帯型撮影情報装置であり、情報管理装置３０から撮影オーダ情報を受信して格納し、撮影時には、指定された撮影オーダ情報を表示する。なお、本実施の形態では、携帯型撮影情報装置としてＰＤＡを適用した例を説明するが、携帯可能なノート型のパーソナルコンピュータや携帯電話端末等を適用することとしてもよい。
【００２０】
ポータブル撮影装置６０は、移動可能な医用画像撮影装置であり、回診先において撮影者の操作に応じて患者を撮影し、撮影した医用画像をカセッテ７０に記録する。カセッテ７０は、蛍光体プレートを内蔵して患者の放射線医用画像を記録するものであり、カセッテ７０の表面にはそのカセッテ７０の識別情報であるカセッテＩＤがバーコード化されて設けられている。
【００２１】
医用画像読取装置５０は、カセッテ７０に記録されている医用画像を読み取るカセッテ専用の医用画像読取装置である。また、医用画像読取装置５０は、バーコードリーダを備え、医用画像を読み取る際にカセッテ７０のＩＤをバーコードで読み取り、読み取ったカセッテＩＤと医用画像とを対応付けて制御装置４０に送信する。
【００２２】
制御装置４０は、医用画像読取装置５０による読み取り動作を制御し、読み取った医用画像を医用画像読取装置５０から取得する。また、制御装置４０は、情報管理装置３０から撮影オーダ情報を受信し、画像管理のために、受信した撮影オーダ情報と、取得した医用画像との対応付けを行う。
【００２３】
図２を参照して、ＰＤＡ１０について説明する。
図２は、本実施の形態におけるＰＤＡ１０の機能的構成を示すブロック図である。図２において、ＰＤＡ１０は、ＣＰＵ（Ｃｅｎｔｒａｌ  Ｐｒｏｃｅｓｓｉｎｇ  Ｕｎｉｔ）１１、操作部１２、表示部１３、通信制御部１４、ＲＡＭ（Ｒａｎｄｏｍ  Ａｃｃｅｓｓ  Ｍｅｍｏｒｙ）１５、記憶装置１６、バーコードリーダ１７から構成され、各部はバス１９により接続されている。
【００２４】
ＣＰＵ１１は、記憶装置１６に格納されているシステムプログラム及び各種アプリケーションプログラムの中から指定されたプログラムをＲＡＭ１５に展開し、当該プログラムに従ってＰＤＡ１０の各部を集中制御する。
【００２５】
ＣＰＵ１１は、記憶装置１６に格納されているプログラムを実行することによりＰＤＡ１０の対応付け手段を実現している。具体的には、ＣＰＵ１１は、撮影者の操作部１２からの指示に応じて、記憶装置１６のオーダ登録ファイル１６１から指定された撮影オーダ情報を読み出して表示部１３に表示する。さらに、撮影者により撮影に用いるカセッテ７０が指定されると、バーコードリーダ１７によりそのカセッテＩＤを入力し、オーダ登録ファイル１６１において、入力したカセッテＩＤを指定された撮影オーダ情報に対応付けて記憶する。すなわち、カセッテ登録を行う。
ＣＰＵ１１は、撮影後には、撮影済みの撮影オーダ情報をオーダ登録ファイル１６１から読み出して、対応付けたカセッテＩＤとともに通信制御部１４を介して制御装置４０に送信する。
【００２６】
また、ＣＰＵ１１は、制御装置４０から次の撮影に使用不可と設定されたカセッテのＩＤを受信すると、そのカセッテＩＤを記憶装置１６の使用不可カセッテリスト１６２に格納させる。次の撮影のカセッテ登録時に、撮影者により撮影に用いるカセッテが指定されると、指定されたカセッテ７０のカセッテＩＤをバーコードリーダ１７に読み取らせて、読み取られたカセッテＩＤと一致するカセッテＩＤが使用不可カセッテリスト１６２に格納されているか否かを判別する。そして、格納されている場合は指定されたカセッテは撮影に使用できないことを示す警告メッセージを表示部１３に表示させ、カセッテ登録を禁止する。
【００２７】
操作部１２は、カーソルキー、数字入力キー及び各種機能キーを備え、押下されたキーに対応する押下信号をＣＰＵ１１に出力する。なお、操作部１２は、必要に応じてマウス、タッチパネル等のポインティングディバイスやその他操作入力装置を備えることとしてもよい。
【００２８】
表示部１３は、制御装置の警告手段の一つであり、ＬＣＤ（Ｌｉｑｕｉｄ  Ｃｒｙｓｔａｌ  Ｄｉｓｐｌａｙ）等による表示ディスプレイを備えて、カセッテ登録時に、登録対象であるカセッテ７０のＩＤが次回の撮影に使用不可と判別されたカセッテ７０のＩＤと一致する場合に、そのカセッテは使用不可であることを警告するメッセージを表示する。なお、他の警告手段として、警告音を出力するスピーカ等を適用することとしてもよい。また、表示部１３は、ＣＰＵ１１からの表示指示に基づいて、撮影オーダ情報等の各種表示データを表示する。
【００２９】
通信制御部１４は、ネットワークインターフェイスカード、モデム又はターミナルアダプタ等を備えて、撮影オーダ受信手段及び撮影オーダ送信手段を構成し、ネットワークＮ上の外部機器との通信を制御する。例えば、通信制御部１４は、撮影前には情報管理装置３０との無線通信を確立して撮影オーダ情報を受信し、撮影後には制御装置４０との無線通信を確立して撮影済みの撮影オーダ情報及びその撮影オーダ情報に対応付けたカセッテＩＤを送信する。なお、この場合、必要であればＰＨＳ等の携帯型の電話端末を利用して無線通信を確立することとしてもよい。
【００３０】
ＲＡＭ１５は、ＣＰＵ１１によって実行される各種プログラムやこれら各種プログラムによって処理されたデータ等を一時的に記憶するワークエリアを形成する。
【００３１】
記憶装置１６は、プログラムやデータが予め記憶されている記憶媒体（図示せず）を有しており、この記憶媒体にシステムプログラム、当該システムプログラムに対応する各種アプリケーションプログラム及び各種処理プログラムで処理されたデータ等を記憶する。この記憶媒体は、磁気的、光学的記憶媒体又は半導体メモリで構成され、記憶装置１６に固定的に設けられるもの又は着脱自在に装着するものである。
【００３２】
記憶装置１６は、オーダ登録ファイル１６１、使用不可カセッテリスト１６２を備えている。
【００３３】
オーダ登録ファイル１６１は、通信制御部１４を介して情報管理装置３０から受信した撮影オーダ情報を記憶する記憶手段である。
オーダ登録ファイル１６１は、図３にそのデータ格納例を示すように、オーダＩＤ順に、撮影する患者のＩＤ（例えば“ＡＡ−００１”）、氏名（例えば“鈴木花子”）、性別（例えば“女”、“男”）、年齢（例えば“４５”）等の患者情報と、撮影条件（撮影部位、撮影方向を含む。例えば  “胸部正面”）、撮影に用いたカセッテのＩＤ（例えば“ＡＢ０１”）等の撮影情報と、撮影された医用画像の画像処理条件（例えば“コントラスト＋１”、これは階調処理においてコントラストのレベルを１上げることを示す）と、撮影された医用画像の出力条件（例えば“フィルムサイズ１４×１４”、これはフィルム出力する際のフィルムサイズを示す）と、を記憶する。
【００３４】
患者情報は、図３に示した撮影する患者のＩＤ、氏名、性別、年齢の他、例えば検査の依頼科、担当医名、病室名、感染症等を警告する医療警告情報、薬物アレルギーの有無、妊娠の有無、追加病歴、車椅子や担架等の特別な介護の必要性、臨床診断名、守秘事項等の各種患者情報が記憶される。
【００３５】
撮影情報としては、図３に示した撮影条件、撮影に使用するカセッテのＩＤの他、例えば撮影方法（単純撮影、造影撮影等）、撮影予定日、撮影装置、読取装置等の各種撮影情報が記憶される。
【００３６】
画像処理条件としては、図３に示した階調処理における画像処理条件の他、画像の鮮鋭度を調整する周波数処理、ダイナミックレンジの広い画像を被写体の細部のコントラストを低下させることなく見やすい濃度範囲に収めるためのダイナミックレンジ圧縮処理、画像データを所定の圧縮化方式で圧縮する圧縮処理等の各種画像処理時の画像処理条件が記憶される。
【００３７】
出力条件としては、図３に示したフィルム出力する際のフィルムサイズの他、例えば撮影された画像を表示出力する際の、画像の反転、回転、明度、コントラスト等の出力条件が記憶される。
【００３８】
使用不可カセッテリスト１６２は、制御装置４０により使用不可に設定されたカセッテ７０のカセッテＩＤを記憶している。
【００３９】
バーコードリーダ１７は、ＰＤＡの入力手段の一つであり、光学的な読取機構のスキャナを備えて構成される。バーコードリーダ１７は、このスキャナによりカセッテ７０に設けられたカセッテＩＤのバーコードを読み取って、ＣＰＵ１１に出力する。
【００４０】
なお、他の入力手段として操作部１２を適用し、キー操作でカセッテＩＤを入力することとしてもよい。また、ＯＣＲ（Ｏｐｔｉｃａｌ  Ｃｈａｒａｃｔｅｒ  Ｒｅｃｏｇｎｉｔｉｏｎ）文字を使用してカセッテＩＤをカセッテ７０の表面に設け、ＯＣＲ文字を読み取るスキャナ等の入力手段を備えてカセッテＩＤを入力することとしてもよいし、カセッテ７０に半導体集積回路（以下、ＩＣ；Ｉｎｔｅｇｒａｔｅｄ  Ｃｉｒｃｕｉｔ）を備えて、このＩＣにカセッテＩＤを記憶させておき、入力手段としてＩＣリーダを備えてカセッテＩＤを入力することとしてもよい。
【００４１】
次に、図４を参照して、制御装置４０について説明する。
図４は、制御装置４０の機能的構成を示すブロック図である。図４において、制御装置４０は、ＣＰＵ４１、操作部４２、表示部４３、通信制御部４４、ＲＡＭ４５、記憶装置４６、Ｉ／Ｆ４７、画像データベース４８から構成され、各部はバス４９により接続される。なお、上述したＰＤＡ１０の構成部と同一の機能を有する構成部、つまり操作部４２、表示部４３、ＲＡＭ４５についてはその詳細な説明を省略する。
【００４２】
ＣＰＵ４１は、記憶装置４６に格納されているシステムプログラム及び各種アプリケーションプログラムの中から指定されたプログラムをＲＡＭ４５に展開し、当該プログラムに従って制御装置４０の各部を集中制御する。
【００４３】
具体的には、ＣＰＵ４１は、記憶装置４６からカセッテ判別処理プログラムを読み出して、当該プログラムを実行することにより制御装置４０の判別手段を実現している。
【００４４】
ＣＰＵ４１は、カセッテ判別処理（図７参照）において、撮影済みの撮影オーダ情報とその撮影オーダ情報に登録されているカセッテＩＤをＰＤＡ１０から受信すると、撮影オーダ情報とカセッテ７０との対応関係を記憶装置４６の対応テーブル４６２に設定する。次いで、撮影済みのカセッテ７０から読み取られた医用画像とそのカセッテＩＤを医用画像読取装置５０から取得すると、カセッテ７０と医用画像との対応関係を対応テーブル４６２に設定する。医用画像読取装置５０による全カセッテ７０の読み取りが終了後、対応テーブル４６２を参照して、登録した全てのカセッテ７０から医用画像を読み取ったか否か、つまり今回撮影に用いたカセッテ７０を次回の撮影で使用可能か否かを判別する。
【００４５】
ＣＰＵ４１は、まだ医用画像が読み取られていないカセッテ７０が有ると判別した場合、そのカセッテ７０を対応テーブル４６２において、使用不可に設定し、医用画像が読み取られていると判別された場合は、そのカセッテ７０を対応テーブル４６２において、使用可に設定する。次いで、ＣＰＵ４１は、通信制御部４４に、カセッテ７０の次回の撮影における使用の可否の判別結果をＰＤＡ１０に送信させる。
【００４６】
通信制御部４４は、ネットワークインターフェイスカード、モデム又はターミナルアダプタ等を備えて、判別結果送信手段を構成し、ネットワークＮ上の外部機器との通信を制御する。例えば、通信制御部１４は、ＣＰＵ４１とカセッテ判別処理プログラムとの共働により得られたカセッテの使用可否の判別結果をＰＤＡ１０に送信する。また、撮影前には情報管理装置３０から撮影オーダ情報を受信し、撮影後にはＰＤＡ１０から撮影済みの撮影オーダ情報及びその撮影オーダ情報に登録されたカセッテＩＤを受信する。
【００４７】
記憶装置４６は、プログラムやデータが予め記憶されている記憶媒体（図示せず）を有しており、この記憶媒体にシステムプログラム、当該システムプログラムに対応する各種アプリケーションプログラム及び各種処理プログラムで処理されたデータ等を記憶する。この記憶媒体は、磁気的、光学的記憶媒体又は半導体メモリで構成され、記憶装置４６に固定的に設けられるもの又は着脱自在に装着するものである。
【００４８】
記憶装置４６は、オーダ登録ファイル４６１、対応テーブル４６２を内部に格納している。
オーダ登録ファイル４６１は、情報管理装置３０から受信した撮影オーダ情報を登録するものであり、上述したオーダ登録ファイル１６１と同一であるので、その詳細な説明は省略する。
【００４９】
対応テーブル４６２は、図５にそのデータ格納例を示すように、ＰＤＡ１０から受信した撮影済みの撮影オーダ情報を格納する撮影オーダ情報４６２ａと、ＰＤＡ１０により撮影オーダ情報に対して登録されたカセッテ７０のカセッテＩＤを格納する登録カセッテ４６２ｂと、そのカセッテ７０から読み取られた医用画像の情報を格納する医用画像４６２ｃと、登録されたカセッテ７０が次の撮影で使用可能か否かを設定する使用可否４６２ｄと、の各項目を対応付けて記憶している。例えば、「オーダ１」の撮影オーダ情報に登録されているカセッテ７０のカセッテＩＤは「ＡＡ０１」であり、そのカセッテ７０から読み取られた医用画像は「画像ａ」であり、登録されたカセッテ７０は、次の撮影で使用可能であることを記憶している。
【００５０】
Ｉ／Ｆ４７は、医用画像読取装置５０と接続するためのインターフェイスであり、撮影後には医用画像読取装置５０から医用画像及びその医用画像が記録されていたカセッテ７０のカセッテＩＤを受信する。受信した医用画像は、ＣＰＵ４１の指示に従って画像データベース４８に出力する。
【００５１】
画像データベース４８は、医用画像読取装置５０から受信した医用画像データを格納する。この格納データは外部からの要求に応じて読み出しが可能である。
【００５２】
次に、本実施の形態の動作を説明する。
後述するフローチャートに記述されている各機能を実現するためのプログラムはコンピュータが読み取り可能なプログラムコードの形態でＰＤＡ１０の記憶装置１６、制御装置４０の記憶装置４６に格納されており、ＰＤＡ１０のＣＰＵ１１、制御装置４０のＣＰＵ４１は、当該プログラムコードに従った動作を逐次実行する。
【００５３】
最初に、図６を参照して、医用画像撮影システム１００における全体的な撮影の流れを説明する。
図６において、まず情報管理装置３０は、ＰＤＡ１０に撮影オーダ情報を送信する。ＰＤＡ１０は、情報管理装置３０から受信した撮影オーダ情報をオーダ登録ファイル１６１に記憶して登録する（ステップＡ１）。
【００５４】
次いで、撮影者が、患者がいる病室にポータブル撮影装置５０及びカセッテ７０を搬送して撮影準備を開始し（ステップＡ２）、撮影準備が整うと、撮影者はＰＤＡ１０を操作して撮影オーダ情報の表示を指示する。ＰＤＡ１０は、撮影オーダ情報の表示指示に応じて、オーダ登録ファイル１６１に格納した撮影オーダ情報を一覧表示する（ステップＡ３）。次いで、ＰＤＡ１０は、撮影者により撮影対象の患者ＩＤが操作入力されると（ステップＡ４）、入力された患者ＩＤに対応する撮影オーダ情報を表示する（ステップＡ３）。患者ＩＤに対応する撮影オーダ情報が複数有る場合、撮影者は、ＰＤＡ１０に表示された複数の撮影オーダ情報の中から所望の撮影オーダ情報を指定する。
【００５５】
次いで、撮影者がＰＤＡ１０に表示された撮影オーダ情報から撮影部位を確認すると（ステップＡ５）、撮影に用いるカセッテの登録を行う（ステップＡ６）。撮影者は撮影に用いるカセッテ７０を指定し、ＰＤＡ１０のバーコードリーダ１７を介してそのカセッテ７０のカセッテＩＤを示すバーコードを読み取る。ＰＤＡ１０では、読み取られたカセッテＩＤを、指定された撮影オーダ情報に対応付けてオーダ登録ファイル１６１に格納し、カセッテ登録される。
【００５６】
次いで、撮影者は、登録したカセッテ７０及びポータブル撮影装置５０を用いて、ＰＤＡ１０に表示された撮影オーダ情報に基づき、患者のＸ線撮影を行う（ステップＡ７）。このようにして、一患者に対する一つ又は複数の撮影オーダ情報に基づく撮影を終了すると（ステップＡ８）、撮影者は、次に撮影する患者のＩＤをＰＤＡ１０に入力し（ステップＡ４）、同様に次の患者に対する一連の撮影作業を行う。
【００５７】
全ての患者に対して、つまりＰＤＡ１０のオーダ登録ファイル１６１に登録されている全ての撮影オーダ情報に対する撮影が終了後、ＰＤＡ１０からは、撮影済みの撮影オーダ情報と、撮影オーダ情報に対応付けたカセッテＩＤとを制御装置４０に送信され、各撮影オーダ情報に対しどのカセッテを用いて撮影したか通知される（ステップＡ９）。また、撮影者は、カセッテ７０を医用画像読取装置５０に装着して、カセッテ７０に記録された医用画像の読み取りを指示する。医用画像読取装置５０では、カセッテ７０から医用画像を読み取り（ステップＡ１０）、そのカセッテ７０のカセッテＩＤを読み取ると、医用画像とカセッテＩＤを対応付けて制御装置４０に送信される。
【００５８】
制御装置４０は、ＰＤＡ１０、医用画像読取装置５０から受信した各情報に基づいて、後述するカセッテ判別処理を行い、今回の撮影に用いたカセッテは次回の撮影に使用可能か否かを判別して、その判別結果をＰＤＡ１０に送信する。ＰＤＡ１０は、次回の撮影で使用可と判別されたカセッテ７０のみを使用可能とする。
【００５９】
次に、図７を参照して、制御装置４０のＣＰＵ４１によって実行されるカセッテ判別処理について説明する。
図７において、まずＣＰＵ４１は、ＰＤＡ１０から受信した、撮影済みの撮影オーダ情報を対応テーブル４６２の撮影オーダ情報４６２ａに順次格納し、同時にそれぞれの撮影オーダ情報に対応付けられているカセッテＩＤをその撮影オーダ情報に対応付けて登録カセッテ４６２ｂに格納し、撮影オーダ情報とカセッテ７０との対応関係を設定する（ステップＳ１）。
【００６０】
次いで、ＣＰＵ４１は、医用画像読取装置５０から、医用画像とその医用画像が記録されていたカセッテ７０のＩＤを受信すると、対応テーブル４６２において、受信したカセッテＩＤと、登録カセッテ４６２ｂに格納されているカセッテＩＤとを照合して、一致するカセッテＩＤの医用画像４６２ｃの項目に受信した医用画像の情報を格納し、登録したカセッテ７０と医用画像との対応関係を設定する（ステップＳ２）。
【００６１】
このようにして、撮影に用いた全てのカセッテ７０からの医用画像読み取りが終了し、対応テーブル４６２における対応関係の設定が終了すると、ＣＰＵ４１は、対応テーブル４６２を参照して、医用画像の情報が格納されていない医用画像４６２ｃの項目を検索し、登録した全てのカセッテ７０から医用画像を読み取ったか否か、つまり今回の撮影に用いたカセッテは次回の撮影に使用可能か否かを判別する（ステップＳ３）。例えば、撮影者が誤って医用画像読取装置５０に装着し忘れたカセッテ７０が有る場合は、そのカセッテ７０から医用画像は読み取られていないため、医用画像の情報が格納されていない医用画像４６２ｃの項目が存在することになる。
【００６２】
医用画像４６２ｃの全ての項目に医用画像の情報が格納されており、登録した全てのカセッテから医用画像を読み取っている場合、今回の撮影に用いたカセッテ７０全てが次回の撮影に使用可能であると判別し、対応テーブル４６２において、全ての使用可否４６２ｄの項目に「可」と設定し、ステップＳ６に移行する（ステップＳ４）。
【００６３】
一方、医用画像の情報が格納されていない医用画像４６２ｃの項目があり、医用画像が読み取られていないカセッテ７０が有る場合、対応テーブル４６２において、その使用可否４６２ｄの項目に「不可」と設定し、医用画像の情報が格納されている撮影オーダ情報の使用可否４６２ｄの項目には、「可」を設定する（ステップＳ５）。例えば、図５に示すように、対応テーブル４６２において、撮影オーダ情報の「オーダ３」に対応する医用画像４６２ｃの項目に医用画像の情報が格納されていないため、ＣＰＵ１１は、その使用可否４６２ｄの項目に「不可」と設定し、医用画像４６２ｃの項目に医用画像の情報が格納されている撮影オーダ情報の使用可否４６２ｄの項目には「可」を設定する。
【００６４】
次いで、ＣＰＵ４１は、登録カセッテ４６２ｂから、「使用不可」に設定されているカセッテＩＤと、「使用可」に設定されているカセッテＩＤを取得すると、取得した各カセッテＩＤをカセッテの使用可否の判別結果としてＰＤＡ１０に送信し（ステップＳ６）、カセッテ判別処理を終了する。
【００６５】
ＰＤＡ１０は、制御装置４０から受信した判別結果から、「使用不可」のカセッテＩＤを受信している場合は、そのカセッテＩＤを使用不可カセッテリスト１６２に格納する。そして、次の撮影のカセッテ登録時に、登録対象であるカセッテ７０のカセッテＩＤをバーコードリーダ１７によって読み取り、読み取られたカセッテＩＤに一致するカセッテＩＤが使用不可カセッテリスト１６２に格納されているか否かを判別する。
【００６６】
判別の結果、「使用不可」に一致するカセッテＩＤが格納されている場合は、「そのカセッテは既に登録済みです」等の警告メッセージを表示部１３に表示して、登録対象のカセッテ７０は撮影に使用できないことを警告し、そのカセッテ７０の登録を禁止する。
【００６７】
また、「使用不可」に設定されているカセッテ７０から医用画像読取装置５０により医用画像が読み取られて、制御装置４０によりそのカセッテ７０が「使用可」に設定された場合は、制御装置４０が通信制御部４４に、その「使用可」のカセッテＩＤをＰＤＡ１０に送信させる。ＰＤＡ１０は、使用不可カセッテリスト１６２に、受信した使用可のカセッテＩＤと一致するカセッテＩＤが格納されていればそのカセッテＩＤを削除する。
【００６８】
以上のように、複数の撮影オーダ情報を撮影者が携帯するＰＤＡ１０に記憶して表示するので、撮影オーダ情報の取り扱いが容易かつ正確となるとともに、所望の撮影オーダ情報を容易に確認することができる。従って、撮影作業に対する撮影者の負担を軽減することができる。
【００６９】
また、制御装置４０が、ＰＤＡ１０から送信された撮影済みの撮影オーダ情報とその撮影オーダ情報に対応付けられたカセッテのＩＤと、医用画像読取装置５０から取得した医用画像とその医用画像が記録されていたカセッテのＩＤと、から今回撮影に用いたカセッテが次回の撮影に使用できるか否かを判別し、ＰＤＡ１０がその判別結果を制御装置４０から受信して、使用不可と判別されたカセッテ７０を次回の撮影における登録を禁止するので、まだ医用画像を読み取っていないカセッテに対する二重撮影を防止することができる。
【００７０】
また、一旦使用不可と設定されたカセッテであっても、医用画像読取装置５０により医用画像を読み取らせることにより、制御装置４０で使用不可から使用可に設定され、ＰＤＡ１０で使用可に設定されたカセッテのＩＤを使用不可カセッテリスト１６２から削除されるので、使用不可の解除が自動的になされて、撮影者のカセッテ登録作業に対する負担を軽減することができる。
【００７１】
【発明の効果】
請求項１、３に記載の発明によれば、携帯型撮影情報装置が、撮影オーダ情報を受信して記憶し、撮影に用いるカセッテの識別情報とそのカセッテを用いる撮影オーダ情報とを対応付けるので、撮影オーダ情報の取り扱いの容易性及び正確性を確保することができる。また制御装置が、携帯型撮影情報装置から送信された撮影オーダ情報及びカセッテの識別情報と、医用画像読取装置から取得された医用画像及びカセッテの識別情報と、に基づいて、撮影に用いたカセッテは次の撮影に使用可能か否かを判別し、携帯型撮影情報装置は、制御装置からその判別結果を受信して、次の撮影に使用不可と判別されたカセッテの識別情報を撮影オーダ情報に対応付けることを禁止するので、同一カセッテに対する二重撮影を防止して撮影した医用画像の安全性を確保することができる。
【００７２】
請求項２に記載の発明によれば、携帯型撮影情報装置が、次回の撮影に使用不可と判別されたカセッテは使用不可であることを警告するので、二重撮影をより確実に防止することが可能となる。
【図面の簡単な説明】
【図１】本発明を適用した実施の形態における医用画像システム１００の全体的構成を示す概念図である。
【図２】図１のＰＤＡ１０の機能的構成を示すブロック図である。
【図３】図２の記憶装置１６に格納されるオーダ登録ファイル１６１のデータ格納例を示す図である。
【図４】図１の制御装置４０の機能的構成を示すブロック図である。
【図５】図３の記憶装置４６に格納される対応テーブル４６２のデータ格納例を示す図である。
【図６】図１の医用画像撮影システム１００における撮影の全体的な流れを説明する図である。
【図７】ＰＤＡ１０と、制御装置４０により実行されるカセッテ判別処理を説明するフローチャートである。
【符号の説明】
１０    ＰＤＡ
１１    ＣＰＵ
１２    操作部
１３    表示部
１４    通信制御部
１５    ＲＡＭ
１６    記憶装置
１６１    オーダ登録ファイル
１６２    使用不可カセッテリスト
１７    バーコードリーダ
３０    情報管理装置
４０    制御装置
４１    ＣＰＵ
４６    記憶装置
４６１    オーダ登録ファイル
４６２    対応テーブル
５０    医用画像読取装置
６０    ポータブル撮影装置
７０    カセッテ
１００    医用画像撮影システム
【図１】
2004147923.tif 000003
【図２】
2004147923.tif 000004
【図３】
2004147923.tif 000005
【図４】
2004147923.tif 000006
【図５】
2004147923.tif 000007
【図６】
2004147923.tif 000008
【図７】
2004147923.tif 000009